(57)【要約】【課題】浴槽の水中に導いた水素を効率よく利用できる水素ガスの溶解方法及びこのための水素ガス保持具の提供。【解決手段】浴槽の水面に浮かべたシート体の下部に水中で発生した水素ガスを保持させて溶解させる水素ガス溶解方法である。シート体の中心部の可撓性をその周縁部よりも高め、水素ガスをシート体の中心部に移動させて水素ガスを保持させることを特徴とする。また、浴槽用の水素ガス保持具は、中心部の可撓性をその周縁部よりも高めたシート体からなり、水面に浮かべたときに水中で発生した水素ガスを中心部に移動させて水素ガスを保持することを特徴とする。【選択図】図３
2017225922.tif 000002
【特許請求の範囲】
【請求項１】
浴槽の水面に浮かべたシート体の下部に水中で発生した水素ガスを保持させて溶解させる水素ガス溶解方法であって、前記シート体の中心部の可撓性をその周縁部よりも高め、前記水素ガスを前記シート体の前記中心部に移動させて水素ガスを保持させることを特徴とする水素ガス溶解方法。
【請求項２】
前記シート体は前記周縁部にリブを与えられ、前記リブは水よりも比重の小さいことを特徴とする請求項１記載の水素ガス溶解方法。
【請求項３】
前記リブは前記シート体の上面に突出して取り付けられていることを特徴とする請求項２記載の水素ガス溶解方法。
【請求項４】
前記シート体と前記水面との間の空気を除去しつつ前記シート体を浮かべることを特徴とする請求項１乃至３のうちの１つに記載の水素ガス溶解方法。
【請求項５】
水中で発生した水素ガスを水面上に保持させて水に溶解させるための浴槽用の水素ガス保持具であって、中心部の可撓性をその周縁部よりも高めたシート体からなり、前記水面に浮かべたときに前記水中で発生した前記水素ガスを前記中心部に移動させて前記水素ガスを保持することを特徴とする水素ガス保持具。
【請求項６】
前記シート体は前記周縁部にリブを与えられ、前記リブは水よりも比重の小さいことを特徴とする請求項５記載の水素ガス保持具。
【請求項７】
前記リブは前記シート体の一方の主面側に突出するよう取り付けられていることを特徴とする請求項６記載の水素ガス保持具。
【請求項８】
前記シート体は、ポリエチレン、ポリアミド、ポリエチレンテレフタレート、ポリプロピレン、ポリビニルアルコールおよびエチレンビニルアルコール共重合体からなる群から選択される１種または２種以上からなることを特徴とする請求項５乃至７のうちの１つに記載の水素ガス保持具。
【発明の詳細な説明】
【技術分野】
【０００１】
本発明は、水中で発生させた水素ガスを水面上に保持させて水に溶解させる方法及びこのための水素ガス保持具に関し、特に、浴槽中の水に水素ガスを溶解させる方法及びこのための水素ガス保持具に関する。
【背景技術】
【０００２】
近年、水やお茶といった飲料に水素（水素ガス）を充填した清涼飲料水などが販売されている。これは、水素を摂取することによって人間の体内に存在する活性酸素を還元させる効果を狙ったものである。一方、浴槽の水に水素を溶解させて、水素の抗酸化作用などによって入浴者の美肌効果を得ようとすることや、浴槽のぬめりを防ぐ効果を得ようとする提案がなされている。そして、このための浴槽に水素ガスを溶解させるための装置も提案されている。
【０００３】
例えば、特許文献１では、家庭に常備して簡易に使用できる水素水生成装置を用いて浴槽の水に水素を溶解させる方法を開示している。かかる装置は、区画された部屋を有する金属素材で形成されて多数の透孔を有する容器本体と、この容器本体に嵌合される蓋体と、マグネシウム、黒曜石、トルマリン、抗菌砂、風化サンゴ等の粒状素材などの粒子を不織布の袋に充填して容器本体の部屋に収められる水素水発生体とを含む簡易な構造であり、浴槽用の水素水生成装置として適するとしている。
【０００４】
これに対し、特許文献２では、水素濃度を高めることで抗酸化作用を高めようとする水素水の製造装置による水素の溶解方法を開示している。水素ボンベや電気分解による水素供給手段から水素を得てこれと浴槽から取り出した水を気液混合タンクにて混合して水素を溶解させ、浴槽に戻すことで高い水素濃度を得るとしている。特に、気液混合タンクにて窒素を併せて溶解させることにより、水中の溶存酸素を減じ、抗酸化作用を高め得るとしている。
【０００５】
また、特許文献３でも、浴槽用の水に水素を溶解させる方法において、還元性の高い、すなわち水素濃度の高い水素水を得る方法を開示している。すなわち、水素ガスボンベからなるガス供給部から浴槽内に配置した放気部に水素を供給し、水中に微細気泡として水素を放出し、これを浴湯に溶け込ませて水素水とするのである。また、浴槽の備えられる浴室には水素センサと換気装置が備えられ、浴湯から放出された水素の空気中の濃度によって換気装置を制御するとしている。
【先行技術文献】
【特許文献】
【０００６】
【特許文献１】特開２００４−３３００１１号公報
【特許文献２】特開２００４−３５８４３７号公報
【特許文献３】特開２００８−５９７３号公報
【発明の概要】
【発明が解決しようとする課題】
【０００７】
特許文献３において換気装置を設けていることからもわかるように、水素は水に対してほとんど溶解せず、水素濃度を高めるべく水素ボンベなどから大量に水素を供給しても、結局は浴槽の水から水素が脱離してしまい、空気中に水素を大量に放出するだけであって水素の利用効率が非常に低いのである。
【０００８】
本発明は、上記したような問題点に鑑みてなされたものであって、その目的とするところは、浴槽の水中に導いた水素を効率よく利用できる水素ガスの溶解方法及び水素ガス保持具を提供することにある。
【課題を解決するための手段】
【０００９】
本発明による水素ガス溶解方法は、浴槽の水面に浮かべたシート体の下部に水中で発生した水素ガスを保持させて溶解させる水素ガス溶解方法であって、前記シート体の中心部の可撓性をその周縁部よりも高め、前記水素ガスを前記シート体の前記中心部に移動させて水素ガスを保持させることを特徴とする。
【００１０】
かかる発明によれば、シート体の周囲から逃げる水素を減じつつシート体の下部に水素ガスをその圧力を高めて安定的に保持でき、水素ガスの水からの脱離を抑制するとともに水への溶解を促進することができ、水素ガスを効率よく利用できるのである。
【００１１】
上記した発明において、前記シート体は前記周縁部にリブを与えられ、前記リブは水よりも比重の小さいことを特徴としてもよい。かかる発明によれば、リブによってシート体を水面に浮かべやすくするとともに、周縁部よりも中央部の可撓性を高めて、シート体の下部に水素ガスをより安定的に保持でき、水素ガスを効率よく利用できるのである。
【００１２】
上記した発明において、前記リブは前記シート体の上面に突出して取り付けられていることを特徴としてもよい。かかる発明によれば、シート体の下部に混入する空気を減じやすく、しかもシート体の周縁部をより低い位置に維持することで保持した水素ガスの圧力を高くでき、水素ガスの水への溶解をより促進できて、水素ガスを効率よく利用できるのである。
【００１３】
上記した発明において、前記シート体と前記水面との間の空気を除去しつつ前記シート体を浮かべることを特徴としてもよい。かかる発明によれば、シート体の下部への空気の混入を減じて、保持した水素ガスの分圧を高くできて、水素ガスを効率よく利用できる。
【００１４】
また、本発明による水素ガス保持具は、中で発生した水素ガスを水面上に保持させて水に溶解させるための浴槽用の水素ガス保持具であって、中心部の可撓性をその周縁部よりも高めたシート体からなり、前記水面に浮かべたときに前記水中で発生した前記水素ガスを前記中心部に移動させて前記水素ガスを保持することを特徴とする。
【００１５】
かかる発明によれば、使用中にシート体の周囲から逃げる水素を減じつつ、シート体の下部に水素ガスをその圧力を高めて安定的に保持でき、水素ガスの水からの脱離を抑制するとともに水への溶解を促進することができて、水素ガスを効率よく利用できる。
【００１６】
上記した発明において、前記シート体は前記周縁部にリブを与えられ、前記リブは水よりも比重の小さいことを特徴としてもよい。かかる発明によれば、リブによってシート体を水面に浮かべやすくするとともに、周縁部よりも中央部の可撓性を高めて、シート体の下部に水素ガスをより安定的に保持できて、水素ガスを効率よく利用できるのである。
【００１７】
上記した発明において、前記リブは前記シート体の一方の主面側に突出するよう取り付けられていることを特徴としてもよい。かかる発明によれば、突出した側を上にして使用することで、シート体の下部に混入する空気を減じやすく、しかもシート体の周縁部をより低い位置に維持することで保持した水素ガスの分圧を高くでき、水素ガスの水への溶解をより促進できて、水素ガスを効率よく利用できるのである。
【００１８】
上記した発明において、前記シート体は、ポリエチレン、ポリアミド、ポリエチレンテレフタレート、ポリプロピレン、ポリビニルアルコールおよびエチレンビニルアルコール共重合体からなる群から選択される１種または２種以上からなることを特徴としてもよい。かかる発明によれば、シート体からの水素ガスの漏洩を防止でき、より長時間、水素ガスを安定的に保持できて、水素ガスを効率よく利用できるのである。
【図面の簡単な説明】
【００１９】
【図１】本発明による水素ガス保持方法に使用するシートの一例を示す図である。
【図２】本発明による水素ガス保持方法を示す図である。
【図３】本発明による水素ガス保持方法による水素ガスの保持状態を示す図である。
【発明を実施するための形態】
【００２０】
以下、本発明の１つの実施例としての水素ガス保持方法及び水素ガス保持具について図１乃至図３を用いて詳細に説明する。
【００２１】
図１に示すように、本発明による水素ガス保持方法に使用するシート１は、樹脂からなる例えば外形を略長方形とするシート体本体２と、その周囲に沿って連続するフロート３とを備えている。特に図１（ｂ）を参照すると、フロート３は、シート体本体２の周囲に沿って延びる略円筒形状の浮き袋であり、シート１の一方の主面側に少なくとも一部が突出するようにシート体本体２に取り付けられている。また、フロート３は、図示しない空気弁を備えており空気の出し入れを可能とすることが好ましい。これによれば、使用時以外はフロート３から空気を抜いてシート１の折りたたみを容易とする。
【００２２】
図２に示すように、シート１を使用する場合には、水１２を貯めた浴槽１０の下部に水素ガス生成具２０を沈めてその上に空気を入れてフロート３を膨らませたシート１を浮かべる。ことのき、シート１の下部に空気が溜まらないよう、シート１と水面との間の空気を除去しつつシート１を浮かべることが好ましい。また、シート１の上下の向きについて、フロート３をシート体本体２の上方に突出させるように向けることが好ましい。ここで、フロート３をシート体本体２の周囲に沿って延びる略円筒形の浮き袋状としたことで、水面上にシート１を浮かべやすくし得るとともに、その外形である長方形を維持しやすくできる。つまり、フロート３はシート１の周縁部に沿って延びるとともに水より比重の小さいリブとなる。また、このようなフロート３によるリブを設けたことで、シート１においてリブのある周縁部の可撓性よりも中心部の可撓性を高くすることができる。
【００２３】
また、図３に示すように、水素ガス発生具２０から発生した水素ガス２１は、一部を水１２に溶解させながら浮上し、水面から上方に脱離する。このとき、水素ガス２１は、シート１によって押さえつけられて水面上に保持される。特に、シート１は、フロート３からなるリブによって中心部の可撓性を周縁部よりも高くされている。つまり、中心部が上方へ撓みやすい。これによって、水素ガスをシート１の中心部へ移動させてガス溜り２２を形成しやすくさせ、シート１の周囲から逃げる水素を減じて水素ガスを安定的に保持できる。このようにして、水素ガス２１を水面に長時間滞在させて水１２からの水素ガスの脱離を抑制できるとともに、持ち上げたシート１の重さによってガス溜り２２の圧力を高め、水素ガス２１の水１２への溶解を促進させ得る。
【００２４】
また、シート１の上面にフロート３が突出することで、シート１を水面に浮かべる際にシート１の下部から空気を除去しやすく、ガス溜り２２に混入する空気を減じて水素分圧を高め得る。しかも、シート体本体２の周縁部をより低い位置に維持することになり、ガス溜り２２にシート１の重量をより多く負荷させてガス溜り２２の圧力を高め得る。また、フロート３を備えることで、シート体本体２としてより重量の大きいもの、例えば比重の大きい素材や厚さの大きいシート体を使用してもシート１を水面に浮かべることができて、これによってもガス溜り２２の圧力を高め得る。
【００２５】
ここでシート１の材料としては、水素ガスの漏洩を防止できるものであり、好ましくは合成樹脂で構成された合成樹脂フィルムが用いられるが、塩化ビニル樹脂シート等の合成樹脂シートを用いることもできる。合成樹脂フィルムの材質としては、ポリエチレン、ポリアミド、ポリエチレンテレフタレート、ポリプロピレン、ポリビニルアルコール、エチレンビニルアルコール共重合体等が挙げられる。合成樹脂フィルムには、金属や無機酸化物による蒸着層が形成されていてもよく、金属箔がラミネートされていてもよい。合成樹脂フィルムの好ましい一例としては、熱融着可能な材質で構成されたヒートシール層と、水素ガス不透過性の材質で構成されたガスバリア層を含み、少なくとも内面側がヒートシール層で構成された積層フィルムが挙げられる。ヒートシール層の材質は、ポリエチレン、ポリブロピレン等が例示できる。ガスバリア層の材質は、ポリアミド、エチレン−ビニルアルコール共重合体樹脂、ポリエチレンテレフタレート等の水素ガス不透過性の合成樹脂フィルムや、合成樹脂フィルム上に形成した金属や無機酸化物の蒸着層や、合成樹脂フィルム上に積層した金属箔などが挙げられ、特に、ポリアミドフィルムや、エチレン−ビニルアルコール共重合体樹脂フィルムや、それらの金属蒸着フィルムが好ましく採用される。また、シート１の表面にシリカやアルミナを蒸着するなど、さらに水素ガス不透過性を向上させる加工をしてもよい。
【００２６】
また、水素ガス生成具２０としては、例えば水と反応して水素ガスを発生させるマグネシウム、カルシウム、黒曜石、トルマリン、抗菌砂及び風化サンゴなどを容器に収容した公知のものを使用し得る。
【００２７】
以上のように、本実施例によれば、浴槽１０の水面上において水素ガスをシート１の下部に安定的に保持できて、水素ガスの水への溶解を促進させ得るのである。つまり、水素ガスの水からの脱離を抑制して、水素ガスを効率よく利用できる。
【００２８】
以上、本発明による実施例及びこれに基づく変形例を説明したが、本発明は必ずしもこれに限定されるものではなく、当業者であれば、本発明の主旨又は添付した特許請求の範囲を逸脱することなく、様々な代替実施例及び改変例を見出すことができるであろう。
【符号の説明】
【００２９】
１        シート
２        シート体本体
３        フロート
１０      浴槽
１２      水
２０      水素ガス生成具
２２      ガス溜り
２１      水素ガス
【図１】
2017225922.tif 000003
【図２】
2017225922.tif 000004
【図３】
2017225922.tif 000005